(57)【要約】      （修正有）【課題】変化に富んだ連結方法を可能とする磁石式プレート玩具を提供する。【解決手段】磁石式プレート玩具は、柱状を呈すると共に、軸線方向に直交する磁化方向を有する複数の第１磁石２と、複数の第１磁石２を１つずつ収容する複数の第１収容部２１を内部に有する多角形状のプレート部材と、を備える。複数の第１磁石２は、プレート部材の辺部４ａに沿って移動可能、かつ、軸線方向に沿う回転軸及びプレート部材の厚さ方向に沿う回転軸周りに回転可能に第１収容部２１に収容されており、複数の第１収容部２１は、プレート部材の辺部４ａに沿って互いに離間して配置されていると共に、辺部４ａに沿う方向における端部２１ａ及び端部２１ｂを有しており、厚さ方向から見て、端部２１ａの長さＬ１は、軸線方向に直交する方向における第１磁石２の長さＬ２以上であり、軸線方向における第１磁石２の長さＬ３よりも短い。【選択図】図４
2019130237.tif 000002
【特許請求の範囲】
【請求項１】
柱状を呈すると共に、軸線方向に直交する磁化方向を有する複数の第１磁石と、
前記複数の第１磁石を１つずつ収容する複数の第１収容部を内部に有する多角形状のプレート部材と、を備え、
前記複数の第１磁石は、前記プレート部材の辺部に沿って移動可能、かつ、前記軸線方向に沿う回転軸及び前記プレート部材の厚さ方向に沿う回転軸周りに回転可能に前記第１収容部に収容されており、
前記複数の第１収容部は、前記プレート部材の辺部に沿って互いに離間して配置されていると共に、前記辺部に沿う方向における一端部及び他端部を有しており、
前記厚さ方向から見て、前記一端部の長さは、前記軸線方向に直交する方向における前記第１磁石の長さ以上であり、前記軸線方向における前記第１磁石の長さよりも短い、磁石式プレート玩具。
【請求項２】
前記厚さ方向から見て、前記他端部の長さは、前記軸線方向に直交する方向における前記第１磁石の長さ以上であり、前記軸線方向における前記第１磁石の長さよりも短い、請求項１に記載の磁石式プレート玩具。
【請求項３】
前記第１磁石は、四角柱状を呈している、請求項１又は２記載の磁石式プレート玩具。
【請求項４】
第２磁石を更に備え、
前記プレート部材は、前記辺部及び前記複数の第１収容部から離間して配置された第２収容部を内部に更に有し、
前記第２磁石は、前記厚さ方向に直交する方向に移動可能に前記第２収容部に収容されている、請求項１〜３のいずれか一項に記載の磁石式プレート玩具。
【発明の詳細な説明】
【技術分野】
【０００１】
本発明の一側面は、磁石式プレート玩具に関する。
【背景技術】
【０００２】
従来、連結対象に磁気的に連結される磁石式プレート玩具が知育用玩具として知られている（例えば、特許文献１参照）。特許文献１に記載された磁石式プレート玩具は、多角形状のプレート部材を備えている。プレート部材の内部には、プレート部材の辺部に沿って磁石が設けられている。プレート部材は、当該磁石の磁力を利用して他の磁石式プレート玩具に磁気的に連結される。このような磁石式プレート玩具によれば、遊びを通じて子供の創造力及び想像力を養うことが図られる。
【先行技術文献】
【特許文献】
【０００３】
【特許文献１】実用新案登録第３１６１６９８号公報
【発明の概要】
【発明が解決しようとする課題】
【０００４】
上述したような磁石式プレート玩具では、磁石の配置されたプレート部材の辺部にしか他の磁石式プレート玩具を連結させることができない。このため、変化に富んだ連結方法を可能とすることが求められる。
【０００５】
そこで、本発明の一側面は、変化に富んだ連結方法を可能とする磁石式プレート玩具を提供する。
【課題を解決するための手段】
【０００６】
本発明の一側面に係る磁石式プレート玩具は、柱状を呈すると共に、軸線方向に直交する磁化方向を有する複数の第１磁石と、複数の第１磁石を１つずつ収容する複数の第１収容部を内部に有する多角形状のプレート部材と、を備え、複数の第１磁石は、プレート部材の辺部に沿って移動可能、かつ、軸線方向に沿う回転軸及びプレート部材の厚さ方向に沿う回転軸周りに回転可能に第１収容部に収容されており、複数の第１収容部は、プレート部材の辺部に沿って互いに離間して配置されていると共に、辺部に沿う方向における一端部及び他端部を有しており、厚さ方向から見て、一端部の長さは、軸線方向に直交する方向における第１磁石の長さ以上であり、軸線方向における第１磁石の長さよりも短い。
【０００７】
この磁石式プレート玩具では、第１磁石は、プレート部材の辺部に沿って移動可能にプレート部材の第１収容部に収容されている。このため、この磁石式プレート玩具を、辺部における広い範囲で他の磁石式プレート玩具と連結させることができる。第１収容部は、辺部に沿う方向における一端部を有しており、プレート部材の厚さ方向から見て、一端部の長さは、軸線方向に直交する方向における第１磁石の長さ以上であり、軸線方向における第１磁石の長さよりも短い。このため、第１磁石の軸線方向における一対の端部の全体を、第１収容部の一端部に配置することができるものの、第１磁石の軸線方向に直交する方向における一対の端部の全体を、第１収容部の一端部に配置することはできない。第１磁石の軸線方向の端部は、第１磁石の軸線方向に直交する方向の端部に比べて磁力が弱い。したがって、第１磁石の軸線方向の端部の全体が第１収容部の一端部に配置されたとしても、隣り合う第１収容部における第１磁石と連結し難い。これにより、互いに隣り合う第１収容部間で第１磁石同士の連結を防ぎながら、第１磁石が辺部に沿って移動可能な範囲を広げることができる。第１磁石は、軸線方向に沿う回転軸周りだけでなく、プレート部材の厚さ方向に沿う回転軸周りにも回転可能に第１収容部に収容されている。このため、この磁石式プレート玩具を、プレート部材の辺部以外でも他の磁石式プレート玩具と連結させることができる。以上のことから、変化に富んだ連結方法を可能とすることができる。
【０００８】
この磁石式プレート玩具では、厚さ方向から見て、他端部の長さは、軸線方向に直交する方向における第１磁石の長さ以上であり、軸線方向における第１磁石の長さよりも短くてもよい。この場合、第１磁石の軸線方向の一対の端部の全体を、第１収容部の他端部に配置することができるものの、第１磁石の軸線方向に直交する方向の一対の端部の全体を、第１収容部の他端部に配置することはできない。これにより、互いに隣り合う第１収容部間で第１磁石同士の連結を防ぎながら、第１磁石が辺部に沿って移動可能な範囲を更に広げることができる。
【０００９】
この磁石式プレート玩具では、第１磁石は、四角柱状を呈していてもよい。この場合、第１磁石が平面状の側面部で他の磁石式プレート玩具と連結するため、第１磁石が円柱状を呈し、曲面状の側面部で他の磁石式プレート玩具と連結する場合に比べて、連結力を向上させることができる。
【００１０】
この磁石式プレート玩具は、第２磁石を更に備え、プレート部材は、辺部及び複数の第１収容部から離間して配置された第２収容部を内部に更に有し、第２磁石は、厚さ方向に直交する方向に移動可能に第２収容部に収容されていてもよい。この場合、第２磁石が第２収容部に収容されているので、更に変化に富んだ連結方法を可能とすることができる。
【発明の効果】
【００１１】
本発明の一側面によれば、変化に富んだ連結方法を可能とする磁石式プレート玩具を提供することができる。
【図面の簡単な説明】
【００１２】
【図１】実施形態に係る磁石式プレート玩具の一部を破断して示す斜視図である。
【図２】図１の磁石式プレート玩具の上壁を取り除いた状態を示す上面図である。
【図３】図１の磁石式プレート玩具の上壁の下面図である。
【図４】図２の一部拡大図である。
【図５】磁石式プレート玩具の連結方法を説明するための斜視図である。
【発明を実施するための形態】
【００１３】
以下、添付図面を参照して、本発明の好適な実施形態について詳細に説明する。なお、以下の説明において、同一又は相当要素には同一符号を付し、重複する説明を省略する。
【００１４】
図１は、実施形態に係る磁石式プレート玩具の一部を破断して示す斜視図である。図１に示される磁石式プレート玩具１は、遊びを通じて子供の創造力及び想像力を養うための知育用玩具である。図２は、図１の磁石式プレート玩具の上壁を取り除いた状態を示す上面図である。図１及び図２に示されるように、磁石式プレート玩具１は、複数（ここでは８つ）の第１磁石２と、第２磁石３と、プレート部材４と、を備えている。
【００１５】
第１磁石２及び第２磁石３は、柱状を呈している。一例として、第１磁石２及び第２磁石３は、底面が四角形である四角柱状、特には底面が正方形である正方柱状を呈している。第１磁石２及び第２磁石３は、例えば同じ材料からなっている。第１磁石２及び第２磁石３は、例えばネオジウム磁石である。第１磁石２及び第２磁石３は、軸線方向に直交する磁化方向を有している。すなわち、第１磁石２及び第２磁石３は、軸線方向に直交する方向に二分割されている。第１磁石２は、軸線方向に直交する方向の一方側に配置されたＮ極部、及び、軸線方向に直交する方向の他方側に配置されたＳ極部を有している。第２磁石３の寸法（体積）及び磁力は、例えば第１磁石２の寸法及び磁力よりも大きい。第１磁石２の概略外形寸法は、例えば３ｍｍ×３ｍｍ×６ｍｍである。第２磁石３の概略外形寸法は、例えば３ｍｍ×３ｍｍ×８ｍｍである。
【００１６】
プレート部材４は、均一な厚さを有する板状部材である。プレート部材４は、プレート部材４の厚さ方向Ｄ１から見て、例えば、三角形状、矩形状等の多角形状を呈している。一例として、プレート部材４は、厚さ方向Ｄ１から見て矩形状、特には正方形状を呈している。プレート部材４は、複数（ここでは４つ）の辺部４ａを有している。各辺部４ａには、厚さ方向Ｄ１に沿って延びる断面Ｕ字状の溝４ｂが設けられている。溝４ｂは、辺部４ａの長さ方向の中央部に設けられている。溝４ｂは設けられていなくてもよい。
【００１７】
図３は、図１の磁石式プレート玩具の上壁の下面図である。図１〜３に示されるように、プレート部材４は、中空であり、底部材５と、上壁６と、を有している。底部材５は、上壁６と対向する底壁７と、上壁６と底壁７とを接続する４つの側壁８と、を有している。上壁６及び底壁７は、一辺が例えば７５ｍｍの正方形状である。４つの側壁８は、例えば７５ｍｍ×６．５ｍｍの矩形状である。つまり、プレート部材４の厚さは、例えば６．５ｍｍであり、プレート部材４は、厚さ方向Ｄ１から見て、一辺が例えば７５ｍｍの正方形状を呈している。
【００１８】
プレート部材４は、例えばＡＢＳ樹脂（アクリロニトリル−ブタジエン−スチレン共重合体）等のプラスチック製である。プレート部材４は、プラスチック製とすることで、例えば射出成形により容易に製造可能となる。例えば様々な色彩のプラスチックをプレート部材４の材料として用いることで、子供の関心を高めることができる。透明のプラスチックをプレート部材４の材料として用いることで、組み立てた立体図形の内部が見えるようになるため、子供の関心を更に高めることができる。
【００１９】
プレート部材４は、底部材５の開口が、上壁６により覆われることで形成されている。底部材５と上壁６とは、底壁７の四隅それぞれに設けられた円筒部７ａと、上壁６の四隅それぞれに設けられた円筒部６ａとが互いに嵌り合うことにより、組み立てられている。円筒部７ａの内部に円筒部６ａが設けられ、円筒部６ａの内部に金属製の鳩目９が設けられている。これにより、底部材５と上壁６とは互いに接合されている。底部材５と上壁６とは、高周波溶着等によっても互いに接合されている。
【００２０】
底部材５の内部には、複数のリブ１１〜１３が設けられている。複数のリブ１１〜１３は、底壁７上に設けられている。複数のリブ１１〜１３は、プレート部材４の厚さ方向Ｄ１に沿って延びている。複数のリブ１１〜１３の高さ（厚さ方向Ｄ１の長さ）は、上壁６と底壁７との間隔と同等である。複数のリブ１１〜１３の先端部は、上壁６に接続されている。複数のリブ１１〜１３は、底壁７に沿って延びている。底部材５の内部には、リブ１１，１２に加えてリブ１３が設けられているので、プレート部材４の強度が向上する。
【００２１】
底壁７上には、複数の略円筒部１４が設けられている。複数の略円筒部１４は、軸方向に延びるスリットが設けられた円筒形状の部材であり、断面Ｃ字状を呈している。複数の略円筒部１４は、スリットが溝４ｂを向くように配置されている。複数の略円筒部１４は、上壁６に設けられた複数の円筒部６ｂと互いに嵌り合う。略円筒部１４が外側、円筒部６ｂが内側に配置される。略円筒部１４及び円筒部６ｂは、底部材５と上壁６とを組み立て易くするガイドの役割を有している。略円筒部１４及び円筒部６ｂにより、プレート部材４の強度が更に向上する。
【００２２】
プレート部材４は、複数（ここでは８つ）の第１収容部２１と、第２収容部２２と、を内部に有している。複数の第１収容部２１は、複数の第１磁石２を１つずつ収容している。複数の第１収容部２１は、リブ１１、上壁６、底壁７、及び側壁８により画定されている。複数の第１収容部２１は、プレート部材４の辺部４ａに沿って互いに離間して配置されている。第１収容部２１は、各辺部４ａに沿って一対ずつ配置されている。第１収容部２１は、辺部４ａに沿う方向における端部２１ａ及び端部２１ｂを有している。
【００２３】
複数の第１収容部２１は、互いに隣り合う一対の第１収容部２１において、端部２１ａ同士又は端部２１ｂ同士が互いに隣り合うように配置されている。各辺部４ａに沿って配置された一対の第１収容部２１では、端部２１ｂ同士が溝４ｂを挟んで互いに対向している。
【００２４】
図４は、図２の一部拡大図である。図４に示されるように、厚さ方向Ｄ１（図１参照）から見て、端部２１ａの長さＬ１は、軸線方向に直交する方向における第１磁石２の長さＬ２以上であり、軸線方向における第１磁石２の長さＬ３よりも短い。厚さ方向Ｄ１から見て、端部２１ｂの長さＬ４は、長さＬ２以上であり、長さＬ３よりも短い。長さＬ１と長さＬ４とは、例えば同等である。
【００２５】
辺部４ａ（第１収容部２１が設けられた辺部４ａ）に直交する方向における第１収容部２１の長さＬ５は、長さＬ３よりも長い。辺部４ａに沿う方向における第１収容部２１の長さＬ６は、例えば、長さＬ３の３倍よりも長く、辺部４ａの長さの１／４よりも長く、辺部４ａの長さの１／３よりも短い。長さＬ１は、例えば５ｍｍである。上述のように、長さＬ２は、例えば３ｍｍであり、長さＬ３は、例えば６ｍｍである。長さＬ１は、例えば５ｍｍである。長さＬ５は、例えば９ｍｍである。長さＬ６は、例えば２２ｍｍである。
【００２６】
厚さ方向Ｄ１における第１収容部２１の長さ（上壁６と底壁７との間隔）は、長さＬ３よりも短い。したがって、第１収容部２１において、第１磁石２の軸線方向は、厚さ方向Ｄ１と直交しており、厚さ方向Ｄ１に沿うことはない。厚さ方向Ｄ１における第１収容部２１の長さは、例えば４．８ｍｍである。
【００２７】
複数の第１磁石２は、プレート部材４の各辺部４ａに沿って移動可能、かつ、軸線方向に沿う回転軸及び厚さ方向Ｄ１に沿う回転軸周りに回転可能に第１収容部２１に収容されている。換言すると、第１収容部２１は、第１磁石２が、軸線方向及び厚さ方向Ｄ１に沿う回転軸周りに回転可能な大きさに設定されている。
【００２８】
図２に示されるように、第２収容部２２は、第２磁石３を収容している。第２収容部２２は、リブ１２、上壁６（図１参照）及び底壁７により画定されている。第２収容部２２は、辺部４ａ及び複数の第１収容部２１から離間して配置されている。第２収容部２２は、厚さ方向Ｄ１（図１参照）から見て、一辺が例えば２６ｍｍの正方形状を呈し、プレート部材４の中央部に配置されている。第２収容部２２の各角部は、プレート部材４（図１参照）の各辺部４ａの中央部と互いに対向している。第２収容部２２の各角部は、略円筒部１４を挟んで溝４ｂと互いに対向している。第２収容部２２の各辺部は、リブ１３によって円筒部７ａに接続されている。第２磁石３は、厚さ方向Ｄ１に直交する方向に移動可能に第２収容部２２に収容されている。
【００２９】
厚さ方向Ｄ１における第２収容部２２の長さ（上壁６と底壁７との間隔）は、軸線方向における第２磁石３の長さよりも短い。したがって、第２収容部２２において、第２磁石３の軸線方向は、厚さ方向Ｄ１と直交しており、厚さ方向Ｄ１に沿うことはない。厚さ方向Ｄ１における第２収容部２２の長さは、例えば厚さ方向Ｄ１における第１収容部２１の長さと同等である。厚さ方向Ｄ１における第２収容部２２の長さは、例えば４．８ｍｍである。
【００３０】
第２磁石３は、軸線方向に沿う回転軸及び厚さ方向Ｄ１に沿う回転軸周りに回転可能に第２収容部２２に収容されている。換言すると、第２収容部２２は、第２磁石３が、軸線方向及び厚さ方向Ｄ１に沿う回転軸周りに回転可能な大きさに設定されている。
【００３１】
以上のように構成された磁石式プレート玩具１では、第１磁石２は、プレート部材４の辺部４ａに沿って移動可能に第１収容部２１に収容されている。このため、辺部４ａにおける広い範囲で他の磁石式プレート玩具と連結させることができる。磁石式プレート玩具１の辺部４ａに他の磁石式プレート玩具を連結させたままの状態で、他の磁石式プレート玩具を辺部４ａに沿って移動（スライド）させることもできる。他の磁石式プレート玩具は、磁石式プレート玩具１と同様の構成を有していてもよいし、磁石式プレート玩具１とは異なる構成を有していてもよい。一例として、他の磁石式プレート玩具は、磁石式プレート玩具１と同様の構成を有しているとする。
【００３２】
厚さ方向Ｄ１から見て、長さＬ１は、長さＬ２以上であり、長さＬ３よりも短い。このため、第１磁石２の軸線方向における一対の端部２ａ（第１磁石２の底面部）の全体を、第１収容部２１の端部２１ａに配置することができるものの、第１磁石２の軸線方向に直交する方向における一対の端部２ｂ（第１磁石２の側面部）の全体を、第１収容部２１の端部２１ａに配置することはできない。端部２ａは、端部２ｂに比べて磁力が弱い。したがって、端部２ａの全体を第１収容部２１の端部２１ａに配置したとしても、第１磁石２は、隣り合う第１収容部２１における第１磁石２と連結し難い。これにより、互いに隣り合う第１収容部２１間で第１磁石２同士の連結を防ぎながら、第１磁石２が辺部４ａに沿って移動可能な範囲を広げることができる。
【００３３】
第１磁石２は、軸線方向に沿う回転軸周りだけでなく、厚さ方向Ｄ１に沿う回転軸周りにも回転可能に第１収容部２１に収容されている。このため、磁石式プレート玩具１を、プレート部材４の辺部４ａ以外でも他の磁石式プレート玩具と連結させることができる。以上のことから、磁石式プレート玩具１によれば、他の磁石式プレート玩具に対する変化に富んだ連結方法を可能とすることができる。
【００３４】
磁石式プレート玩具１では、厚さ方向Ｄ１から見て、端部２１ｂの長さＬ４は、端部２１ａの長さＬ１と同等である。すなわち、長さＬ４は、長さＬ２以上であり、長さＬ３よりも短い。このため、端部２ａの全体を第１収容部２１の端部２１ｂに配置することはできるものの、端部２ｂの全体を第１収容部２１の端部２１ｂに配置することはできない。これにより、互いに隣り合う第１収容部２１間で第１磁石２同士の連結を防ぎながら、第１磁石２が辺部４ａに沿って移動可能な範囲を更に広げることができる。
【００３５】
磁石式プレート玩具１では、第１磁石２は、四角柱状を呈している。このため、第１磁石２が平面状の側面部、すなわち端部２ｂで他の磁石式プレート玩具と連結する。したがって、第１磁石２が円柱状を呈し、曲面状の側面部で他の磁石式プレート玩具と連結する場合に比べて、連結力を向上させることができる。
【００３６】
磁石式プレート玩具１では、第２磁石３は、厚さ方向Ｄ１に直交する方向に移動可能に第２収容部２２に収容されている。第２収容部２２は、辺部４ａ及び複数の第１収容部２１から離間して配置されている。このため、磁石式プレート玩具１の上壁６及び底壁７における広い範囲に他の磁石式プレート玩具を連結させることができる。また、磁石式プレート玩具１の上壁６又は底壁７に他の磁石式プレート玩具を連結させたままの状態で、他の磁石式プレート玩具を上壁６又は底壁７に沿って移動（スライド）させることもできる。このとき、磁石式プレート玩具１の上壁６及び底壁７に、他の磁石式プレート玩具の上壁を連結させてもよいし、底壁を連結させてもよいし、側壁を連結させてもよい。
【００３７】
第２磁石３は、軸線方向に沿う回転軸だけでなく、厚さ方向Ｄ１に沿う回転軸周りに回転可能に第２収容部２２に収容されている。したがって、例えば、磁石式プレート玩具１の上壁６又は底壁７に他の磁石式プレート玩具の辺部を連結させたままの状態で、他の磁石式プレート玩具を回転させることもできる。よって、更に変化に富んだ連結方法を可能とすることができる。
【００３８】
図５は、磁石式プレート玩具の連結方法を説明するための斜視図である。図５では、溝４ｂの図示が省略されている。図５に示されるように、複数（ここでは３つ）の磁石式プレート玩具１が互いに連結されている。磁石式プレート玩具１によれば、辺部４ａだけでなく、上壁６及び底壁７の任意の位置を他の磁石式プレート玩具１に連結させることができる。
【００３９】
磁石式プレート玩具１では、他の磁石式プレート玩具の磁石がプレート部材の所定位置に固定されている場合でも、他の磁石式プレート玩具の磁石の向きに合わせて、第１磁石２又は第２磁石３が回転する。したがって、磁石式プレート玩具１を反発させることなく他の磁石式プレート玩具に連結させることができる。
【００４０】
以上、本発明の実施形態について説明したが、本発明は上記実施形態に限られるものではなく、各請求項に記載した要旨を変更しない範囲で変形し、又は他のものに適用したものであってもよい。
【００４１】
磁石式プレート玩具１は、少なくとも２つ以上の第１磁石２及び第１収容部２１を有していればよく、第２収容部２２を有していなくてもよい。第１収容部２１及び第２収容部２２の数及び大きさは、プレート部材４の形状に応じて、適宜調整することができる。少なくとも長さＬ１及び長さＬ４のうちいずれか一方が、長さＬ２以上であり、かつ、長さＬ３よりも短ければよく、他方は長さＬ２よりも短くてもよいし、長さＬ３以上であってもよい。
【００４２】
第１磁石２及び第２磁石３は、円柱状又は三角柱状等を呈していてもよい。第１磁石２及び第２磁石３は、互いに異なる材料からなっていてもよい。第１磁石２の寸法及び磁力は、第２磁石３の寸法及び磁力と同等であってもよい。第１磁石２の寸法及び磁力は、第２磁石３の寸法及び磁力よりも大きくてもよい。第２磁石３は、柱状を呈していなくてもよい。第２磁石３は、例えば円板状を呈していてもよい。第２磁石３の磁化方向は、軸線方向と一致していてもよい。
【符号の説明】
【００４３】
１…磁石式プレート玩具、２…第１磁石、３…第２磁石、４…プレート部材、４ａ…辺部、２１…第１収容部、２１ａ…端部、２１ｂ…端部、２２…第２収容部、Ｄ１…厚さ方向。
【図１】
2019130237.tif 000003
【図２】
2019130237.tif 000004
【図３】
2019130237.tif 000005
【図４】
2019130237.tif 000006
【図５】
2019130237.tif 000007